(57)【特許請求の範囲】
【請求項１】
１：ｎの定出力比を必要とする同期電動機の制御方法であって、
同期電動機最高回転速度をＮtopとし、基底回転速度Ｎbaseを
Ｎbase＝Ｎtop／ｎ
と表したとき、同期電動機回転速度Ｎが（１）０＜Ｎ≦Ｎbaseの範囲と、（２）Ｎbase＜Ｎ≦Ｎtopの二つの制御範囲に分け、
（１）  ０＜Ｎ≦Ｎbaseでは、所要出力を確保するのに必要な、トルク指令Ｔref（％）に準拠して流れるｑ軸電流Ｉqとｄ軸電流の関係を、
Ｉq＝Ｉq1＝Ｉqmax×（Ｔref／１００）  ［但し、Ｉqmaxは１００％定格時のＩq電流］
Ｉd＝Ｉd1＝Ｋd1×Ｉq  ［但し、Ｋd1は比例定数］
と定め、
（２）  Ｎbase＜Ｎ≦Ｎtopでは、前記所要出力を確保するためのＩq1とＩd1の関係に加え、同期電動機端子電圧を抑制させるためのｄ軸電流Ｉd0を、
Ｉd0＝Ｋd2×（Ｎ−Ｎbase）／（Ｎtop−Ｎbase）［但し、Ｋd2は比例定数］
とし、
Ｉd＝Ｉd0＋Ｉd1
と定めてベクトル制御を行う同期電動機の制御方法において、
前記ｑ軸電流Ｉqとｄ軸電流Ｉdの関係式に、
Ｉd2＝Ｋd3×｛（Ｔref／１００）−１｝  ［但し、Ｋd3は比例定数］
を付加し、
（１）０＜Ｎ≦Ｎbaseでは、
所要出力を確保するのに必要な、トルク指令Ｔref（％）に準拠して流れるｑ軸電流Ｉqとｄ軸電流の関係を、
Ｉq＝Ｉqmax×（Ｔref／１００）［但し、Ｉqmaxは１００％定格時のＩq電流］
Ｉd＝Ｉd1＋Ｉd2＝Ｋd1×Ｉq＋［Ｋd3×｛（Ｔref／１００）−１｝］
［但し、Ｋd1，Ｋd3は比例定数］
と定め、
（２）Ｎbase＜Ｎ≦Ｎtopでは、前記所要出力を確保するためのＩq1とＩd1の関係に加え、同期電動機端子電圧を抑制させるためのｄ軸電流Ｉd0を、
Ｉd0＝Ｋd2×（Ｎ−Ｎbase）／（Ｎtop−Ｎbase）［但し、Ｋd2は比例定数］
とし、
Ｉd＝Ｉd0＋Ｉd1＋Ｉd2
と定めてベクトル制御を行うことを特徴とする同期電動機の制御方法。
【請求項２】
前記比例定数Ｋd1，Ｋd2，Ｋd3を負数（−）にし、制御対象となる同期電動機を、直軸（ｄ軸）インダクタンスＬdが、横軸（ｑ軸）インダクタンスＬqよりも小さいＬq＞Ｌdとなる突極性を有する永久磁石同期電動機に適用することを特徴とする請求項１に記載の同期電動機の制御方法。
【発明の詳細な説明】
【０００１】
【発明の属する技術分野】
本発明は、同期電動機、特に永久磁石を界磁に用いた永久磁石同期電動機の制御方式に関し、さらに詳しくは、広範囲の定出力範囲を必要とする電動機の高効率駆動制御方法に関する。
【０００２】
【従来の技術】
従来における同期電動機の一種である永久磁石同期電動機の制御方法は、図６，７に示すように負荷率に対しても、モータ回転速度に対しても、モータに流す電流を、モータの誘起電圧（以降ＥＭＦと称す）と同相、つまり電流をｄ−ｑ理論の直軸成分Ｉdと横軸成分Ｉqに振り分けた時、電流がＩd＝０の磁石磁束に対し直交するように流れるよう制御する事が一般的であった。
また、特開平４−１０１６９２号公報には、回転速度に対応する位相の遅れとトルク指令の振幅補正係数をそれぞれ位相補正テーブルと振幅補正係数データテーブルを予め作成しておき、モータの回転速度が定格を越えた場合に、その回転速度に応じて各テーブルより読み出した補正係数により位相とトルク指令を補正することによって、定出力制御を可能にした永久磁石界磁をもつ直流ブラシレスモータの制御装置が開示されている。
【０００３】
【発明が解決しようとする課題】
ところが、図６，７に示す従来技術では、界磁が永久磁石という固定界磁に加え、前記Ｉd＝０であるために界磁制御を行なえないため、モータの出力特性は、図７に示すように定トルク特性となり、定出力特性を得ようとする場合は、より大きな電源容量を必要とした。
また、特開平４−１０１６９２号公報に開示された制御装置では、位相補償を行う制御を行っているが、これでは結果としてｄ軸電流、ｑ軸電流が流れ、高速域の出力特性の改善が可能である。しかし、定出力を得ることを目的とせず、結果としては近い特性を得る可能性はあるものの、必要とされる定出力特性を正確に得ることができないという問題があった。
本発明が解決しようとする課題は、大きな電源容量を要することなく定出力特性を実現し、また電動機効率の向上を図ることにある。
【０００４】
【課題を解決するための手段】
上記課題を解決するため、本発明は、１：ｎの定出力比を必要とする同期電動機の制御方法であって、
同期電動機最高回転速度をＮtopとし、基底回転速度Ｎbaseを
Ｎbase＝Ｎtop／ｎ
と表したとき、同期電動機回転速度Ｎが（１）０＜Ｎ≦Ｎbaseの範囲と、（２）Ｎbase＜Ｎ≦Ｎtopの二つの制御範囲に分け、
（１）  ０＜Ｎ≦Ｎbaseでは、所要出力を確保するのに必要な、トルク指令Ｔref（％）に準拠して流れるｑ軸電流Ｉqとｄ軸電流の関係を、
Ｉq＝Ｉq1＝Ｉqmax×（Ｔref／１００）  ［但し、Ｉqmaxは１００％定格時のＩq電流］
Ｉd＝Ｉd1＝Ｋd1×Ｉq  ［但し、Ｋd1は比例定数］
と定め、
（２）  Ｎbase＜Ｎ≦Ｎtopでは、前記所要出力を確保するためのＩq1とＩd1の関係に加え、同期電動機端子電圧を抑制させるためのｄ軸電流Ｉd0を、
Ｉd0＝Ｋd2×（Ｎ−Ｎbase）／（Ｎtop−Ｎbase）［但し、Ｋd2は比例定数］
とし、
Ｉd＝Ｉd0＋Ｉd1
と定めてベクトル制御を行う同期電動機の制御方法において、
前記ｑ軸電流Ｉqとｄ軸電流Ｉdの関係式に、
Ｉd2＝Ｋd3×｛（Ｔref／１００）−１｝  ［但し、Ｋd3は比例定数］
を付加し、
（１）０＜Ｎ≦Ｎbaseでは、
所要出力を確保するのに必要な、トルク指令Ｔref（％）に準拠して流れるｑ軸電流Ｉqとｄ軸電流の関係を、
Ｉq＝Ｉqmax×（Ｔref／１００）［但し、Ｉqmaxは１００％定格時のＩq電流］
Ｉd＝Ｉd1＋Ｉd2＝Ｋd1×Ｉq＋［Ｋd3×｛（Ｔref／１００）−１｝］
［但し、Ｋd1，Ｋd3は比例定数］
と定め、
（２）Ｎbase＜Ｎ≦Ｎtopでは、前記所要出力を確保するためのＩq1とＩd1の関係に加え、同期電動機端子電圧を抑制させるためのｄ軸電流Ｉd0を、
Ｉd0＝Ｋd2×（Ｎ−Ｎbase）／（Ｎtop−Ｎbase）［但し、Ｋd2は比例定数］
とし、
Ｉd＝Ｉd0＋Ｉd1＋Ｉd2
と定めてベクトル制御を行うものである。
【０００５】
この制御方法における実施態様として、前記比例定数Ｋd1，Ｋd2，Ｋd3を負数（−）にし、制御対象となる同期電動機を、直軸（ｄ軸）インダクタンスＬdが、横軸（ｑ軸）インダクタンスＬqよりも小さいＬq＞Ｌdとなる突極性を有する永久磁石同期電動機とする。
【０００６】
本発明においては、速度０から基底回転速度Ｎbaseまでは、直軸電流Ｉd1を横軸電流Ｉqの比例関数におき、さらに基底回転速度から最高回転速度までは、もう一つの直軸電流Ｉd0を速度の関数におき、これを足し合わせることで、同期電動機の等価界磁制御を行う。
また、同期電動機の負荷率の変化に対応した直軸電流Ｉd3を、上記等価界磁制御に加えることで、低負荷時（同期電動機の１００％負荷トルク以下の領域）の効率特性を改善させるものである。
上記手段により、同期電動機、特に永久磁石同期電動機の定出力制御が可能になる。
【０００７】
【発明の実施の形態】
以下、本発明の実施の形態について説明する。
図１に、本発明の第１実施例のブロック図を示す。図中１はベクトル演算部、２はＰＷＭ発生器、３はインバータパワー部、４は永久磁石同期電動機（モータ）、５は位置検出器、６は速度演算器、７は３相ｄ−ｑ変換器、８はＩd1演算器、９はＩd0演算器、１０は電流検出器、１１〜１３は減算器、１４は加算器である。
本第１実施例は、速度制御を前提としたものになっている。速度指令ω*から速度フィードバック信号ωfdを減算して得られたｑ軸電流指令Ｉq*が、トルク指令比例成分としてＩd1演算器８に入力されることで、ｑ軸電流指令Ｉq*に比例係数Ｋd1を掛けたｄ軸電流指令Ｉd1*が生成される。ｑ軸電流指令Ｉq*は、モータ電流を３相ｄ−ｑ変換器７に入力することで得られたｑ軸電流フィードバックＩqfbと減算され、ベクトル演算部１に入る。一方、ｄ軸電流指令Ｉd*は、速度比例成分として、速度フィードバックωfbがＩd0演算器９に入ることで作られたｄ軸電流指令Ｉd0*と前記ｄ軸電流指令Ｉd1*とが足し合わされることで作られ、ｄ軸電流フィードバックＩdfbと足し引きされベクトル演算部１に入力される。そして、このベクトル演算部１でモータ４の電圧指令Ｖ*と位相制御角指令θ*を作り、この信号がＰＷＭ発生器２に入ることで、インバータパワー部３をコントロールしモータ４の速度制御を行うものである。
【０００８】
図２に、図１のブロック図での各軸電流の流れ方を示す。
図２において、モータ最高回転速度をＮtopとしたとき、基底回転速度Ｎbaseが
Ｎbase＝Ｎtop／ｎ
となり、モータの制御方法を、モータ回転速度Ｎが（１）０＜Ｎ≦Ｎbaseの範囲と、（２）Ｎbase＜Ｎ≦Ｎtopの二つの制御範囲に分ける。
（１）  ０＜Ｎ≦Ｎbaseでは、所要出力を確保するのに必要な、トルク指令Ｔref（％）に準拠して流れるｑ軸電流Ｉqとｄ軸電流の関係を、
Ｉq＝Ｉq1＝Ｉqmax×（Ｔref／１００）  ［但し、Ｉqmaxは１００％定格時のＩq電流］
Ｉd＝Ｉd1＝Ｋd1×Ｉq  ［但し、Ｋd1は比例定数］
と定める。
（２）  Ｎbase＜Ｎ≦Ｎtopでは、前記所要出力を確保するためのＩq1とＩd1の関係に加え、モータ端子電圧を抑制させるためのｄ軸電流Ｉd0を、モータ回転速度に比例した関数式で次のように表す。
Ｉd0＝Ｋd2×（Ｎ−Ｎbase）／（Ｎtop−Ｎbase）［但し、Ｋd2は比例定数］
従って、総合したｄ軸電流Ｉdは、
Ｉd＝Ｉd0＋Ｉd1
となり、この結果ｑ軸電流Ｉqとｄ軸電流Ｉdとの関係は、
Ｉd＝Ｉd0＋Ｉd1＝Ｋd2×（Ｎ−Ｎbase）／（Ｎtop−Ｎbase）＋Ｋd1×Ｉq
＝Ｋd2×（Ｎ−Ｎbase）／（Ｎtop−Ｎbase）＋Ｋd1×Ｉqmax×（Ｔref／１００）
で表される。そして、上記関数式のＩqmax，Ｋd1，Ｋd2，Ｎbase，Ｎtopをパラメータ入力させることで汎用性を持たせる。
【０００９】
図３は、図１の制御を、負荷トルクが小さい場合のモータ効率が良くなるように更に改良した第２実施例であり、基本的には、図１の制御構成と同じであるが、Ｉd1演算器８の代わりにＩd2演算器８’を設けた点が異なる。前記図１に示すｄ軸電流指令Ｉd*に、負荷トルク率に応じて変化する成分として、速度指令ω*から作られたトルク指令と、速度フィードバックωfbとが、Ｉd2演算器８’に入ることで作られたｄ軸電流指令Ｉd2*を足し込んでいる。具体的には、前記トルク指令比例成分となるｄ軸電流指令Ｉd1*に、負荷トルク率１００％の場合を０とし、１００％以上は、電流を加え、１００％以下の場合は、電流を減じるものである。
【００１０】
図４に、図３のブロック図での各軸電流の流れ方を示す。
本実施例では、前記ｑ軸電流Ｉqとd軸電流Ｉｄの関係式に、
Ｉd2＝Ｋd3×｛（Ｔref／１００）−１｝  ［但し、Ｋd3は比例定数］
を付加し、
（１）０＜Ｎ≦Ｎbaseでは、所要出力を確保するのに必要な、トルク指令Ｔref（％）に準拠して流れるｑ軸電流Ｉqとｄ軸電流の関係を、
Ｉq＝Ｉqmax×（Ｔref／１００）  ［但し、Ｉqmaxは１００％定格時のＩq電流］
Ｉd＝Ｉd1＋Ｉd2=Ｋd1×Ｉq＋［Ｋd3×｛（Ｔref／１００）−１｝］
［但し、Ｋd1，Ｋd3は比例定数］
と定める。
（２）Ｎbase＜Ｎ≦Ｎtopでは、前記所要出力を確保するためのＩq1とＩd1ノ関係に加え、モータ端子電圧を抑制させるためのｄ軸電流Ｉd0を、モータ回転速度に比例した関数式で次のように表す。
Ｉd0＝Ｋd2×（Ｎ−Ｎbase）／（Ｎtop−Ｎbase）［但し、Ｋd2は比例定数］
従って、総合したｄ軸電流Ｉdは、
Ｉd＝Ｉd0＋Ｉd1＋Ｉd2
となり、この結果ｑ軸電流Ｉqとｄ軸電流Ｉdとの関係は、
Ｉd＝Ｉd0＋Ｉd1＋Ｉd2＝Ｋd2×（Ｎ−Ｎbase）／（Ｎtop−Ｎbase）
＋Ｋd1×Ｉq＋［Ｋd3×｛（Ｔref／１００）−１｝］
＝Ｋd2×（Ｎ−Ｎbase）／（Ｎtop−Ｎbase）
＋Ｋd1×Ｉqmax×（Ｔref／１００）＋［Ｋd3×｛（Ｔref／１００）−１｝］
で表される。そして、上記関数式のＩqmax，Ｋd1，Ｋd2，Ｋd3，Ｎbase，Ｎtopをパラメータ入力させることで汎用性を持たせたる。
【００１１】
前記比例定数Ｋd1，Ｋd2，Ｋd3を負数（−）にし、制御対象となる同期電動機を、直軸（ｄ軸）インダクタンスＬdが、横軸（ｑ軸）インダクタンスＬqよりも小さいＬq＞Ｌdとなる突極性を有する永久磁石同期電動機とすることができる。
図５はその例を示すものである。同図のように、ｄ軸上には、永久磁石が存在し、ステータ側からの電機子反作用による磁束は通りにくく、従ってｄ軸方向インダクタンスＬdは小さい。逆にこれと直交する方向のｑ軸方向は、電機子反作用磁束が鉄心コア（ロータコア）があるため通りやすく、ｑ軸方向インダクタンスＬqは大きくなり、Ｌq＞Ｌdの関係の突極形となっている。（これに対してＬq＝Ｌdは円筒形という）。
そして、直交するｄ−ｑ座標軸上で、磁石磁束ベクトル方向をプラス（＋）方向に取った場合、この磁石磁束を弱める方向、つまりマイナス（−）方向にＩd電流（−Ｉd）を流すようにする。このために、比例定数Ｋd1，Ｋd2，Ｋd3を負数（−）にして制御すると、電流ベクトルは、モータの誘起電圧ベクトルに対し進み位相となり、前記モータの誘起電圧が弱められ（抑制され）、さらに前記突極性によりリラクタンストルクが磁石トルクに重畳されるので、モータの定出力範囲を広くとることができる。
また図５の磁石が挿入されていない場合がリラクタンス形同期電動機となり、この場合は、図５中のｄ軸、ｑ軸が入れ替わる（ｄ軸→ｑ軸に変更、ｑ軸→ｄ軸に変更）。そして、比例定数Ｋd1，Ｋd2，Ｋd3を正数（＋）にして、＋Ｉdを流すように制御する。このため、電流ベクトルは、ｄ軸磁束ベクトルに対し、遅れ位相となり、リラクタンストルクが発生する。加えて、本発明の制御式を用いることで、これも広範囲の定出力特性が得られる。
【００１２】
【発明の効果】
以上述べたように、本発明によれば、同期電動機のｄ−ｑ軸制御方式において、ｄ軸電流指令Ｉd*を、ｑ軸電流指令Ｉq*に比例したｄ軸電流指令Ｉd1*と、同期電動機の回転速度の関数となるｄ軸電流指令Ｉd0*を足し合わしたものにすることで、同期電動機、中でも、従来の制御法では困難であった永久磁石同期電動機の定出力制御を可能にした。
また、前記制御方式において、ｄ軸電流指令Ｉd*に、更に負荷率の関数となるｄ軸電流指令Ｉd2*を加えることで、負荷トルクが小さい場合でも、同期電動機効率が最大に近くなる電流位相角にコントロールすることができ、このポイントの効率の改善が可能となる。
【図面の簡単な説明】
【図１】  本発明の実施例を示す制御ブロツク図である。
【図２】  本発明の実施例を示す出力カーブおよび各軸電流パターンである。
【図３】  本発明の応用（改良）例を示す制御ブロック図である。
【図４】  本発明の応用（改良）例を示す出力カーブおよび各軸電流パターンである。
【図５】  本発明の他の実施例を示す説明図である。
【図６】  従来制御方式の制御ブロック図である。
【図７】  従来制御方式の出力カーブおよび各軸電流パターンである。
【符号の説明】
１  ベクトル演算部、２  ＰＷＭ発生器、３  インバータパワー部、４  永久磁石同期電動機（モータ）、５  位置検出器、６  速度演算器、７  ３相ｄ−ｑ変換器、８  Ｉｄ１演算器、８’  Ｉｄ２演算器、９  Ｉｄ０演算器、１０  電流検出器、１１〜１３  減算器、１４  加算器
【図１】
0003687043.tif 000002
【図２】
0003687043.tif 000003
【図３】
0003687043.tif 000004
【図４】
0003687043.tif 000005
【図５】
0003687043.tif 000006
【図６】
0003687043.tif 000007
【図７】
0003687043.tif 000008